(57)【特許請求の範囲】
【請求項１】
ガイド筒体内周面に押釦を摺動ガイドさせて押引き操作がされ、その底部の挟持部でレリースワイヤの操作部を挟保持するガイド筒体の上端部に形成したフランジ部によって浴槽上端面に設置される押釦ガイド部材において、フランジ部をガイド筒体とは別体に形成した薄板でなる放射状に延展させた環状アングル型の金属板製フランジ部材からなるものとし、該金属板製フランジ部材をガイド筒体上部に一体化した該ガイド筒体のその外周面には、浴槽上壁面を前記金属板製フランジ部材と下方より装填した操作継手とで締着固定する為、該操作継手の内周面の螺子が螺合される螺子を形成したことを特徴とする遠隔操作式排水栓装置の金属板製フランジ部材を備えた押釦ガイド部材。
【請求項２】
ガイド筒体上部内周面に切起し爪部を形成し、環状アングル型の金属板製フランジ部材には、該切起し爪部が爪掛け止めされる掛穴を設けたことを特徴とする請求項１記載の遠隔操作式排水栓装置の金属板製フランジ部材を備えた押釦ガイド部材。
【発明の詳細な説明】
【技術分野】
【０００１】  本発明は、押釦で遠隔操作する遠隔操作式排水栓装置の押釦ガイド部材に関するものである。
【背景技術】
【０００２】  押釦で遠隔操作する遠隔操作式排水栓装置において、浴槽上壁面に設置した押釦の摺動をガイドする押釦ガイド部材は、外周面に螺子を形成し、且つ上端部にフランジ部を設けた円筒体であって、該フランジ部をもって下方より装填した操作継手が円筒体外周面の螺子と螺合され、よって該操作継手とで浴槽上壁面を挟持締着させている。
そして、押釦が押釦ガイド部材内周面を摺動ガイドして押圧されるとその操作によってレリースワイヤを介して排水栓の開閉がされる。【０００３】  また、押釦ガイド部材を浴槽上壁面に良好な取付固定させるため、筒体上端部に鍔状のフランジ部、及び筒体外周面に螺子を形成した上部部材と、内部にレリースワイヤの端部を接続する下部部材とに押釦ガイド部材が分割され、これら上部部材と下部部材とがＣ字リングをもって接合されたものである。
【先行技術文献】
【特許文献】
【０００４】
【特許文献１】  特開２００３−８２７３１
【特許文献２】  特開２０１０−９５９２５
【発明の概要】
【発明が解決しようとする課題】
【０００５】  従来の上端部に鍔状のフランジ部を一体成形してなる押釦ガイド部材は、フランジ部が機能強度上、厚肉にしなくてはならないものであって、見栄え悪いばかりでなく、厚肉であるため、出っ張った押釦ガイド部材のフランジ部の設置部分に水溜りが出来、水垢や塵埃が溜り、汚れが目立ち、その上、不衛生であった。また、風呂蓋を閉めても浮いてしまって不都合であった。
そして、押釦ガイド部材のフランジ部を少しでも見栄え良くするために金属メッキを施し試みたものの金属メッキが長持ちせず剥げてしまうなどしたので、表面に金属薄板を張ったものもあるが、いずれにしても押釦ガイド部材のフランジ部は厚肉で、その厚肉であるがための問題を解消することが出来なかった。【０００６】  そこで、本発明は、鍔状フランジ部が金属板製によって構成された別体の金属板製フランジ部材である金属板製フランジ部材を備えた押釦ガイド部材を提供することにある。
【課題を解決するための手段】
【０００７】  本発明の遠隔操作式排水栓装置の金属板製フランジ部材を備えた押釦ガイド部材は、ガイド筒体内周面に押釦を摺動ガイドさせて押引き操作がされ、その底部の挟持部でレリースワイヤの操作部を挟保持するガイド筒体の上端部に形成したフランジ部によって浴槽上壁面に設置される押釦ガイド部材において、フランジ部を、ガイド筒体とは別体に形成した薄板でなる放射状に延展させた環状アングル型の金属板製フランジ部材からなるものとし、該金属板製フランジ部材をガイド筒体上部に一体化した該ガイド筒体のその外周面には、下方より装填した操作継手の内周面の螺子が螺合される螺子を形成し、この螺合によって、浴槽上壁面を前記金属板製フランジ部材と操作継手とで締着固定するようにしたものである。【０００８】  本発明の遠隔操作式排水栓装置の金属板製フランジ部材を備えた押釦ガイド部材は、フランジ部をガイド筒体とは別体に形成した薄板でなる放射状に延展させた環状アングル型の金属板製フランジ部材からなるものとし、ガイド筒体上部内周面に切起し爪部を形成し、環状アングル型の金属板製フランジ部材には、該切起し爪部が爪掛け止めされる掛穴を穿孔して一体化したものである。
【発明の効果】
【０００９】  本発明の遠隔操作式排水栓装置の金属板製フランジ部材を備えた押釦ガイド部材は、環状アングル型の金属板製フランジ部材をガイド筒体とは別体に形成し、別体であるが故に薄板でなる金属板製フランジ部材を得ることができ、薄板の金属板であるための強度が得られて見栄えもよく、そして金属板製フランジ部材が薄板であるために押釦ガイド部材の設置位置に水溜りが出来にくく、水垢や塵埃も溜り難いので衛生的である。そして、この点からも見栄え良い。また、薄板であるために、風呂蓋を浮き上がらせずに閉めることが出来る。【００１０】  また、押釦ガイド部材のガイド筒体上部内周面に切起し爪部を切起して形成し、環状アングル型の金属板製フランジ部材にはその切起し爪部の爪部に相対する掛穴が穿孔され、これらを爪掛け止めして一体化させるのでガイド筒体と金属板製フランジ部剤との一体化は確実なものになり、浴槽上壁面への充分な締着固定をすることができる。
【図面の簡単な説明】
【００１１】
【図１】  金属板製フランジ部材を備えた押釦ガイド部材が浴槽上壁面に設置された状態の断面図である。
【図２】  金属板製フランジ部材を備えた押釦ガイド部材と操作継手とで浴槽上壁面を締着固定した状態の断面図である。
【図３】  金属板製フランジ部材を備えた押釦ガイド部材の断面図である。
【図４】  金属板製フランジ部材の一体化前の押釦ガイド部材の側面図である。
【図５】  金属板製フランジ部材の一体化前の押釦ガイド部材の断面図である。
【図６】  ガイド筒体の切起し爪部の爪部と金属板製フランジ部材の掛穴との掛合状態図である。
【発明を実施するための形態】
【００１２】  本発明の遠隔操作式排水栓装置の金属板製フランジ部材を備えた押釦ガイド部材は、図１に示すが如く、レリースワイヤ３の操作部３１を底部１３の挟持部１４で挟保持し、押釦２をその押引き操作で筒部１１の内周面に摺動ガイドさせるガイド筒体１０と、該ガイド筒体上部内周面に爪掛け止めして一体化される放射状に延展させた環状アングル型の金属板製フランジ部材１２とからなり、該環状アングル型金属板製フランジ部材と、ガイド筒体１０の外周面に形成された螺子１５に螺合する螺子４１を内周面に形成した操作継手４とによって、パッキン５を介して浴槽上壁面６が締着固定されるようにしたものである。
【００１３】  遠隔操作式排水栓装置の金属板製フランジ部材を備えた押釦ガイド部材１は、ガイド筒体１０と、該ガイド筒体の上部に一体化された環状アングル型の金属板製フランジ部材１２とで構成され、該環状アングル型の金属板製フランジ部材と、ガイド筒体１０の外周面に形成した螺子１５に螺合する操作継手４とによって、浴槽上壁面６に締着固定される。環状アングル型の金属板製フランジ部材１２は、環状アングル型の金属板製で硬質のフランジ部材であるので薄板のものでも充分な強度が得られることになる。
【００１４】  金属板製フランジ部材を備えた押釦ガイド部材１は、図２に示す如く、ガイド筒体１０と、該ガイド筒体の上部内周面に爪掛け止めされた環状アングル型の金属板製フランジ部材１２とで構成され、該環状アングル型の金属板製フランジ部材と、ガイド筒体１０の外周面に形成した螺子１５に螺合する操作継手４とによって、浴槽上壁面６に締着固定される。
なお、操作継手４は、排水栓の作動部へ至るレリースワイヤがガイドされるガイド管に継なぐ継手である。
【００１５】  押釦ガイド部材１は、図３乃至図６に示す如く、ガイド筒体１０と環状アングル型の金属板製フランジ部材１２とでなり、ガイド筒体１０には、筒体１１の上部に切込み１６１を刻設し、該切込み間内周面に内方へ突出された爪部１６２を設けた切起し爪部１６が形成され、筒体１１の底部１３に水抜き穴１３１を穿孔すると共に、垂下した環部１３２に切込み１４１を入れ、内周部に凸部１４２を施した挟持部１４を形成している。
そして、ガイド筒体１０の筒体１１の外周面には、螺子１５が刻設されている。
環状アングル型の金属板製フランジ部材１２には、その縦片１２１のガイド筒体１０の切起し爪部１６の爪部１６２と相対する位置に、該爪部が掛止される掛穴１２２が穿孔されている。
【００１６】  ガイド筒体１０の筒体１１の上部に環状アングル型の金属板製フランジ部材１２が装填され、その縦片１２１の掛穴１２２に筒体１１の切起し爪部１６の爪部１６２が掛止され、堅固に一体化される。
押釦ガイド部材１の突出した環状アングル型の金属板製フランジ部材１２は、ガイド筒体１０の筒体１１の外周面の螺子１５に操作継手４をその内周面に形成した螺子４１が螺合されることによって、浴槽上壁面６がパッキン５を介在させて、確実、且つ強固に締着固定されることになる。
そして、ガイド筒体１０の挟持部１４には、レリースワイヤ３の端部の操作部３１が挟保持される。
【符号の説明】
【００１７】    １        押釦ガイド部材
１０      ガイド筒体
１１      筒体
１２      金属板製フランジ部材
１２１    縦片
１２２    掛穴
１３      底部
１３１    水抜き穴
１３２    環部
１４      挟持部
１４１    切込み
１４２    凸部
１５      螺子
１６      切起し爪部
１６１    切込み
１６２    爪部
２        押釦
３        レリースワイヤ
３１      操作部
４        操作継手
４１      螺子
５        パッキン
６        浴槽上壁面
【図１】
0005904462.tif 000002
【図２】
0005904462.tif 000003
【図３】
0005904462.tif 000004
【図４】
0005904462.tif 000005
【図５】
0005904462.tif 000006
【図６】
0005904462.tif 000007